【事件の表示】
　平成１１年特許願第１１６０６１号「小型体重計付き体脂肪計」拒絶査定不服審判事件〔平成１２年１０月３１日出願公開、特開２０００−３００５３２〕について、次のとおり審決する。
【結　論】
　本件審判の請求は、成り立たない。
【理　由】
第１　手続の経緯  
　本願は、平成１１年４月２３日にされた特許出願（平成１１年特許願第１１６０６１号。以下「本件出願」という。）につき、平成２０年９月１９日付けで拒絶査定（発送日：同月３０日）されたところ、拒絶査定不服審判が同年１０月３０日に請求されたものである。 
 　　　　　　　　　　　 
 第２　本件出願に係る発明 
　本件出願の請求項１〜２に係る発明は、平成２０年７月１０日付け手続補正書により補正された特許請求の範囲の記載からみて、特許請求の範囲の請求項１、及び請求項２に記載された事項により特定されるとおりのものであって、その請求項１に係る発明（以下、「本願発明」という。）は次のとおりのものと認める。 
 　 
【請求項１】「被検者の人体に電流路を形成するための一対の電流路形成電極、及び該電流路における二点間の電位差を測定するための一対の電圧測定用電極からなり、被検者の生体インピーダンスを測定するための電極群と、
　被検者の個人データを入力するための操作部と、
　前記個人データと生体インピーダンスとに基づいて体脂肪率を演算する演算処理部と、
　前記個人データ及び体脂肪率が表示される表示部と、
　被検者がその上に足で載ることによって体重を測定できる体重測定面が表面に設けられた小型体重計を含み、少なくともその重量が１．５ｋｇ以下に形成されている本体と、を有し、
　前記本体の先端に、両手の各手における少なくとも親指を含む二本の指により表面と裏面とを押圧するようにして摘み得るように形成された電極支持部が設けられており、
　該電極支持部の厚みは前記本体の厚みよりも薄く形成され、かつ、
　該電極支持部の表面及び裏面の左右の端に前記電極群が配設され、前記両手の各手における二本の指により、前記電極支持部の電極群が配設される部分を摘むことによって、該指を前記電極群に接触させることができると共に、本体を支持することもできることを特徴とする小型体重計付き体脂肪計。」
　 　　　　　　　　　　　　 
第３　引用刊行物の記載 
（３Ａ）原査定の拒絶の理由に引用され、本件出願前に頒布された引用文献（特開平１０−１７９５３６号公報、以下「引用刊行物Ａ」という。）には、次の事項が図面とともに記載されている。（下線は当審により付加されたものである。以下も同様である。） 
（３Ａ−１）「【特許請求の範囲】
【請求項１】　身体の末端間のインピーダンスと体重とを測定し、別に入力された身長及び性別、年齢等の身体データーとから被測定者の体内脂肪量を算出・推測する、以下の構成を特徴とする
体内脂肪量計付体重計
１）　体重測定装置の載台の表面に体重を測定するために載台に載ったとき、両足の裏が接触する位置に設けた両足間のインピーダンスを測定する電極と、体重測定装置の側面に測定器を持ち上げたとき、両手の指及び手のひらが接触する位置に設けた両手間のインピーダンスを測定する電極との二系列のインピーダンス測定電極を設ける。
２）　両足間インピーダンス測定装置は、重量検出装置が規定以上の負荷を検知したとき動作し、足との接触が不十分であると判断したとき他の両手間インピーダンス測定装置を使用することを指示する。
３）　両足間インピーダンス用の計算式と、両手間インピーダンス用の計算式との二つの計算式を用意し、測定されたインピーダンスに合わせて計算式を使い分ける。」
　　　　　
（３Ａ−２）「【０００１】
【発明が属する技術分野】生体インピーダンスと体重を同時に測定して体内脂肪量の算出・推定する体内脂肪量計付体重計の生体インピーダンスの測定装置に関する。」 
　　　　　　　　　　　　　
（３Ａ−３）「【００１０】
【実施例】以下、図面を基に本発明の実施例を述べる。図１は本発明実施例の斜視図であり、
電子はかり（体重計）の載台（１
体重測定に影響しない側面に握り手（２）を取り付け、この握り手に手用インピーダンス測定電極（５）を設置する。
体内脂肪量を推定するために必要な因子の内、性別、年齢、身長等の測定時毎には変化しない被測定者の身体的特徴の入力を指示し
を
メモリーに保存し
重量センサの出力を
メモリーに保存する
【００１２】インピーダンス測定装置は、重量センサが規定以上の荷重を検出すると、両足間のインピーダンスを測るべく、足用電極に接続される。規定以上の荷重が負荷されていない時は、両手間のインピーダンスを測定する手用電極に接続されている。
【００１３】体重の測定／保存の後、測定者の足が確実にインピーダンス測定用電極に接触しているか否かを判断する。本実施例では、それぞれの足の裏に接触している電流供給端子と電圧検出端子間の抵抗を測定し、規定値より大きいか又は、抵抗値が変化する（徐々に大きくなる）時は、足の裏と測定電極が確実に接触されてはいないと判断し、手用電極でインピーダンスを測定することを指示する。この時は、測定器（３）から降り、
側面の握り手（２）を両手で
握って
持ち上げることで
両手間のインピーダンスが測定できる
【００１４】インピーダンス測定電極と足の裏との接触状態の判断法として、第４図及び第５図で例示する如く、従来から知られている身長と体重とから計算される肥満度の判定式　体重値（ｋｇ）／身長（ｍ）の自乗で得られる値（ＢＭＩ法）から大凡の、あり得る体内脂肪量の範囲を予測し、この値と、測定により得られたインピーダンスを用いて算出した推定体内脂肪量を比較し、不合理な値となる場合は、インピーダンス測定用電極と足の裏との接触が不十分であると判断する事もできる。
【００１５】インピーダンス測定電極と両足の裏が確実に接触している時は両足間のインピーダンスを測定し、接触抵抗が規定を満たさないときは、両手間のインピーダンスを測定して適用する。２経路で測定されるインピーダンス値は異なる物であるから、それぞれの測定位置に対応した計算式を用意し、
インピーダンス測定位置に対応した計算式を選んで、身体的特徴と、体重と、末端間インピーダンスから体内脂肪量を算出
する
　　　　　　　
（３Ａ−４）図１には、
体内脂肪量計付体重計の載台（１）の両側面にそれぞれ取り付けた握り手（２）に一対の手用インピーダンス測定電極（５）を設置すること、データ入力装置、及び表示器を設置するとともに、載台（１）の側面の下部にさらに測定器３の底部を設けることが描かれている
　また、図３には「測定値記憶」の処理の出力線と「インピーダンス測定」の処理の出力線と手用電極計算式もしくは足用電極計算式の出力線が合流し、「体脂肪量計算」の処理を行うことが流れ図（フローチャート）として描かれている。
　さらに、図４には、「体脂肪量計算」の処理の出力線が「体脂肪量表示」の処理に入力する流れ図（フローチャート）が描かれている。
　　　　　　　　　
　上記引用刊行物Ａの摘記事項（３Ａ−１）〜（３Ａ−４）の記載を参照すると、上記引用刊行物Ａには、 
「一対の手用インピーダンス測定電極（５）と、
　体内脂肪量計付体重計の載台（１）の表面に設けられたデータ入力装置と、
　被測定者の性別、年齢、身長等の身体的特徴、及び重量センサの出力を保存するメモリーと、
　体内脂肪量計付体重計の載台（１）の表面に設けられた表示器とを有し、
　一対の手用インピーダンス測定電極（５）は、両手で握ってはかりを持ち上げることができる載台（１）の側面に握り手（２）に設置され、
　身体的特徴と、体重と、末端間インピーダンスから体内脂肪量を算出／推定する体内脂肪量計付体重計。」
　の発明（以下、「引用発明」という。）が記載されているものと認める。
　　　　　　　　　　　　　　　
（３Ｂ）原査定の拒絶の理由に引用され、本件出願前に頒布された引用文献（特開平１１−７００９１号公報、以下「引用刊行物Ｂ」という。）には、次の事項が図面とともに記載されている。
（３Ｂ−１）「【０００１】
【発明の属する技術分野】この発明は、体内脂肪計に関し、更に詳しくは、被測定者が手で持って指先を電極に接触させることにより、簡単に体脂肪率を計測し得る体内脂肪計に関するものである。」
　　　　　　　　　
（３Ｂ−２）「【０００２】
【従来の技術】・・・この体脂肪率の計測装置として、体重計の基台の足を載せる位置に、
電流路を形成する２つの電極と、この電流路の２点間のインピーダンスを計測するための電圧計測用の電極とが設けられているもの
【０００３】また、両手でハンドルを握ることにより、体脂肪率を計測する装置も開発されている。この体内脂肪計は、上述の体重計に取り付けたものとは異なり、比較的手軽に体脂肪率を計測することができるという利点を有している。
【０００４】更に、カードの表面に電流路形成用の電極と電圧計測用の電極とを非常に近接して配した電極対を２組設けた体内脂肪計が、実公平５−２１６４号に開示されている。この体内脂肪計では、
一方の電極対の電流路形成用電極と電圧計測用電極の両方に一方の手の一つの指を接触させるとともに、他方の電極対の電流路形成用電極と電圧計測用電極の両方にもう一方の手の一つの指を接触させるものである
・・・
【０００８】本発明はこのような従来の体内脂肪計の問題点を解決するものであり、本発明の目的は、測定の度に電流路上のインピーダンス計測点間の距離が変わらず、手軽で、しかも比較的正確に体脂肪率の計測ができる小型の体内脂肪計を提供することである。」
　　　　　
（３Ｂ−３）「【００１８】
【実施例】図１は本発明の体内脂肪計の一実施例を示す斜視図である。本実施例の体内脂肪計はカード型であり、カード型電卓に体脂肪率の計測機能を付加したものである。同図に示すように、本実施例の
体内脂肪計１０は、カード本体１１の上部右側の表面１１ａ及び裏面１１ｂに第１の電極対１が設けられ、カード本体１１の上部左側の表面１１ａ及び裏面１１ｂに第２の電極対２が設けられている
【００１９】また、本実施例の体内脂肪計１０は多数のキー３を有しており、これらのキー３は、電卓の機能を実現するとともに、被測定者の体重、身長、年齢、性別等のデータを入力するデータ入力手段としての機能も果たしている。また、カード本体１１内には、インピーダンス計測手段で得られたインピーダンスと、キー３を用いて入力された被測定者に関するデータとに基づいて体脂肪率を計算する計算手段が設けられている。この計算手段は、電卓としての機能を実現するためのＣＰＵとメモリとによって実現することができる。また、
本実施例では、入力される数値の確認や最終的に求められた体脂肪率を表示するための表示部４を備えている
【００２０】
本実施例の体内脂肪計１０を用いた体脂肪率の計測は、図１の２点鎖線で示すように、被測定者が体内脂肪計１０を両手の親指と例えば人指し指とによって持つことにより行うことができる。即ち、左手の親指が第１の計測用電極１ａを押圧するように、また、左手の人指し指が第１の電流路形成電極１ｂを押圧するように、体内脂肪計１０が保持される。同様に、右手の親指が第２の計測用電極２ａを押圧するように、また、右手の人指し指が第２の電流路形成電極２ｂを押圧するように、体内脂肪計１０が保持される
【００２１】次に、被測定者によってその体重、身長、年齢、性別等がキー３を用いて入力される。これらのデータの入力が完了すると、インピーダンス計測手段で得られたインピーダンスと、キー３を用いて入力された被測定者に関するデータとに基づいて、計算手段が体脂肪率の計算を行う。
【００２２】このように、本実施例の体内脂肪計１０では、第１の計測用電極１ａの真裏に第１の電流路形成電極１ｂが配され、第２の計測用電極２ａの真裏に第２の電流路形成電極２ｂが配されているので、両手で体内脂肪計１０を保持する動作を行うだけで、両手の人指し指の間に両腕及び胴体を介する電流路を形成し、この電流路の途中に位置する両手の親指に於いて、その測定者のインピーダンスを計測することができる。しかも、指と各電極との電気的接触が確実に行われるので、指先の電極との接触位置は計測の度ごとに一定となり、測定値のバラツキを小さくすることができる。また、両手で体内脂肪計１０を持って指先を電極に接触させるという自然な動作で体脂肪率を計測することができるので、手軽に体脂肪率を求めることができる。しかも、携帯して何時でも体脂肪率を知ることができるので、従来の体内脂肪計のように風呂場などの特定の場所に限定されることなく、体脂肪率を計測することができる。従って、体内脂肪に対する意識を被測定者に常に持たせることができ、ひいては常に健康維持に気を配る姿勢を被測定者に身につけさせることができるという二次的効果をも得ることができる。」
　　　
（３Ｂ−４）「【００３２】また、図１〜３の実施例では電卓に体内脂肪計としての機能を付与した場合について説明したが、本発明の
体内脂肪計は
携帯用体重計
携帯品に取り付けることができ
　　　　　　　　　　　
 第４　対比・判断  
（４−１）本願発明と引用発明とを対比する。  
（i）上記引用刊行物Ａの摘記事項（３Ａ−３）の段落【００１３】に「それぞれの足の裏に接触している電流供給端子と電圧検出端子間の抵抗を測定し」と記載されており、さらに、身体のインピーダンスを測定する際に、両手に接触するようにそれぞれ電流印加用の電極と電圧測定用の電極を用いることは、例えば、上記引用刊行物Ｂの摘記事項（３Ｂ−２）に記載されているように、技術常識であることから、引用発明の「一対の手用インピーダンス測定電極（５）」のうちの一方のインピーダンス測定用電極が電流供給用端子となる電極であり、他方が電圧端子用の電極であることは明らかである。
　そうすると、引用発明の「一対の手用インピーダンス測定電極（５）」が、本願発明の「被検者の人体に電流路を形成するための一対の電流路形成電極、及び該電流路における二点間の電位差を測定するための一対の電圧測定用電極からなり、被検者の生体インピーダンスを測定するための電極群」に相当する。
（ii）上記引用刊行物Ａの摘記事項（３Ａ−３）の段落【００１１】には「装置に電圧が加えられると、体内脂肪量を推定するために必要な因子の内、性別、年齢、身長等の測定時毎には変化しない被測定者の身体的特徴の入力を指示し、これらの入力を確認した後メモリーに保存し」と記載されており、この「体内脂肪量を推定するために必要な因子の内、性別、年齢、身長等の測定時毎には変化しない被測定者の身体的特徴の入力」は、引用発明の「体内脂肪量計付体重計の載台（１）の表面に設けられたデータ入力装置」より行われることは明らかであるから、引用発明の「体内脂肪量計付体重計の載台（１）の表面に設けられたデータ入力装置」が本願発明の「被検者の個人データを入力するための操作部」に相当する。
（iii）本件出願の明細書の段落【００４４】には「このようにして測定された生体インピーダンスと、上記体重データを含む個人データとに基づいて、被検者の体脂肪率が求められる。」と記載されている。
　他方、上記引用刊行物Ａの摘記事項（３Ａ−３）の段落【０００５】には「２経路で測定されるインピーダンス値は異なる物であるから、それぞれの測定位置に対応した計算式を用意し、インピーダンス測定位置に対応した計算式を選んで、身体的特徴と、体重と、末端間インピーダンスから体内脂肪量を算出／推定する。」ことが記載されていることから、引用発明においても、「身体的特徴と、体重と、末端間インピーダンスから体内脂肪量を算出／推定する手段」を有することは明らかであり、引用発明の「身体的特徴と、体重と、末端間インピーダンスから体内脂肪量を算出／推定する手段」と本願発明の「前記個人データと生体インピーダンスとに基づいて体脂肪率を演算する演算処理部」とは、「前記個人データと生体インピーダンスとに基づいて体脂肪を演算する演算処理部」で共通する。
（iv）上記引用刊行物Ａの摘記事項（３Ａ−４）には「図４には、「体脂肪量計算」の処理の出力線が「体脂肪量表示」の処理に入力する流れ図（フローチャート）」が記載されていることから、引用発明の「体内脂肪量計付体重計の載台（１）の表面に設けられた表示器」に体脂肪量が表示されることは明らかである。また、上記引用刊行物Ａの摘記事項（３Ａ−３）の段落【００１１】に「体内脂肪量を推定するために必要な因子の内、性別、年齢、身長等の測定時毎には変化しない被測定者の身体的特徴の入力を指示し、これらの入力を確認した後メモリーに保存し」と記載されており、この「被測定者の身体的特徴の入力を指示し、これらの入力を確認」することは、被測定者の身体的特徴の入力が表示器で指示され、入力された身体的特徴が表示器で表示され、被測定者が入力された身体的特徴を表示器で確認することを意味することは明らかである。
　そうすると、引用発明の「体内脂肪量計付体重計の載台（１）の表面に設けられた表示器」と本願発明の「表示部」とは「前記個人データ及び体脂肪が表示される表示部」である点で共通する。
（v）上記引用刊行物Ａの摘記事項（３Ａ−３）の段落【００１０】に「図１は本発明実施例の斜視図であり、電子はかり（体重計）の載台（１）の表面を樹脂等の絶縁物で覆い、足用インピーダンス測定電極（４）を、体重を測定するために測定器に載ったとき両足の裏が接触する位置に設置し」と記載されており、この記載からすると、引用発明の体内脂肪量計付体重計では、体重を測定する際に被測定者が体重計の載台（１）の表面に載って測ることになるから、引用発明の「載台（１）の表面」が本願発明の「体重を測定できる体重測定面」に相当し、さらに、引用発明の体内脂肪量計付体重計の「体重計」と本願発明の「小型体重計」とは、「被検者がその上に足で載ることによって体重を測定できる体重測定面が表面に設けられた体重計」である点で共通する。
　また、本件出願の明細書の段落【００３１】に「小型体重計付き体脂肪計１０は、小型体重計を含んでなる本体１に、体脂肪計として機能する各種の部材が一体に組み込まれた構成とされている。本体１の体重計としての部分は、いわゆるミニヘルスとも呼ばれる小型の体重計によって構成されており、本体１は１．５ｋｇ以下の重量とされている。」と記載されていることから、本願発明の「本体」は、小型体重計付き体脂肪計１０を構成する部材が一体に組み込まれた構成全体を意味し、その「本体」の重量が１．５ｋｇ以下であることは、小型体重計付き体脂肪計の重量が１．５ｋｇ以下であることを意味することは明らかである。
　そして、引用発明の体内脂肪量計付体重計は体脂肪計及び体重計を構成する部材が組み込まれて構成される測定装置であるから、引用発明の体脂肪計及び体重計を構成する部材が組み込まれて構成された体内脂肪量計付体重計が、本願発明と同様に、「本体」を有することは明らかである
　そうすると、引用発明の「本体」と本願発明の「本体」とは、「被検者がその上に足で載ることによって体重を測定できる体重測定面が表面に設けられた体重計を含み、所定の重量で形成されている本体」である点で共通する。
（vi）引用発明の「体内脂肪量計付体重計」と本願発明発明の「小型体重計付き体脂肪計」とは、「体重計と体脂肪計を備えた測定器」である点で共通する。
　　　　　　　　　　　　　　　 　　　　　 
　そうすると、本願発明と引用発明とは、 
「被検者の人体に電流路を形成するための一対の電流路形成電極、及び該電流路における二点間の電位差を測定するための一対の電圧測定用電極からなり、被検者の生体インピーダンスを測定するための電極群と、
　被検者の個人データを入力するための操作部と、
　前記個人データと生体インピーダンスとに基づいて体脂肪を演算する演算処理部と、
　前記個人データ及び体脂肪が表示される表示部と、
　被検者がその上に足で載ることによって体重を測定できる体重測定面が表面に設けられた体重計を含む本体と、を有する体重計と体脂肪計を備えた測定器。」
　である点で一致し、次の相違点（あ）〜相違点（お）で相違している。
　　　　
・相違点（あ）
　体脂肪が、本願発明では「体脂肪率」であるのに対して、引用発明では、「体脂肪量」である点。
　　　
・相違点（い）
　体重計が、本願発明では「小型体重計」であるのに対して、引用発明では「体重計」である点。
　　　　
・相違点（う）
　被検者がその上に足で載ることによって体重を測定できる体重測定面が表面に設けられた体重計を含み、所定の重量で形成されている本体が、本願発明では「少なくともその重量が１．５ｋｇ以下に形成されている本体」であるのに対して、引用発明では、体内脂肪量計付体重計の本体の重量が明確でない点。
　　　　
・相違点（え）
　本願発明では、「前記本体の先端に、両手の各手における少なくとも親指を含む二本の指により表面と裏面とを押圧するようにして摘み得るように形成された電極支持部が設けられており、該電極支持部の厚みは前記本体の厚みよりも薄く形成され、かつ、該電極支持部の表面及び裏面の左右の端に前記電極群が配設され、前記両手の各手における二本の指により、前記電極支持部の電極群が配設される部分を摘むことによって、該指を前記電極群に接触させることができると共に、本体を支持することもできる」構成を有するのに対して、引用発明では、一対の手用インピーダンス測定電極（５）は、両手で握ってはかりを持ち上げることができる載台（１）の握り手（２）に設置され、右足用、左足用の一対の足用インピーダンス測定電極（４）は、体重を測定するために測定器に載ったとき両足の裏が接触する載台（１）の表面の位置に設置されている点。
　　　　　　　　　　　
・相違点（お）
　体重計と体脂肪計を備えた測定器が、本願発明では「小型体重計付き体脂肪計」であるのに対して、引用発明では、「体内脂肪量計付体重計」である点。
　　　　　　　　　　　
 （４−２）当審の判断 
　上記相違点（あ）〜相違点（お）について判断する。
・相違点（あ）について
　上記引用刊行物Ｂの摘記事項（３Ｂ−３）の段落【００２１】に、「次に、被測定者によってその体重、身長、年齢、性別等がキー３を用いて入力される。これらのデータの入力が完了すると、インピーダンス計測手段で得られたインピーダンスと、キー３を用いて入力された被測定者に関するデータとに基づいて、計算手段が体脂肪率の計算を行う。・・・」と記載されているように、被測定者の身体的特徴のデータと測定されたインピーダンスとから体脂肪率を求めることは周知（他に、例えば特開平８−１５０１３０号公報の４頁５欄３４〜４３行の記載参照）であり、引用発明も上記周知例もともに被測定者の身体的特徴のデータと測定されたインピーダンスとから体脂肪に関する量を算出していることから、引用発明において、身体的特徴と、体重と、末端間インピーダンスから体脂肪量を算出する代わりに、周知例のごとく体脂肪率を算出することは当業者が容易になし得るものである。
　　　
・相違点（い）及び相違点（う）について
（いう−１）上記引用刊行物Ｂの摘記事項（３Ｂ−４）には、体脂肪計を取り付けた体重計として、携帯用体重計が記載されている。そして、この体脂肪計を取り付けた携帯用体重計は、上記引用刊行物Ｂの摘記事項（３Ｂ−２）に「【０００８】本発明は・・・小型の体内脂肪計を提供することである。」と記載されているように、この体脂肪計を携帯用体重計に取り付けた場合にも「小型」の「体脂肪計を取り付けた携帯用体重計」を意味することは明らかである。
　他方、上記引用刊行物Ａには摘記事項（３Ａ−３）の段落【００１３】には「側面の握り手（２）を両手でしっかりと握って、手を伸ばし、はかりを目の前まで持ち上げることで、両手間のインピーダンスが測定できる構成となっている。」と記載されていることから、引用発明の体内脂肪量計付体重計が、両手で握って、持ち上げることができるほどの大きさと重量で構成されている必要があることは明らかである。
　そうすると、引用発明の体内脂肪量計付体重計も上記引用刊行物Ｂに記載された携帯用体重計もともに体脂肪計が取り付けられた体重計であり、さらに、体重計を持ち上げて体脂肪を測定できる程度の大きさと重量で構成される点で共通することから、引用発明の体内脂肪量計付体重計の構成として、上記引用刊行物Ｂに記載された発明の構成を採用して、小型の体内脂肪量計付携帯用体重計、すなわち、本願発明のごとく、体重計を「小型体重計」とすることは当業者であれば容易になし得るものである。（相違点（い））
（いう−２）そして、携帯用の装置は、例えば実公平５−２１６４号公報の２頁４欄５、６行に「持ち運びが容易な外形寸法と重量を有する・・・携帯用健康指針装置」と記載されているように、携帯用の装置は重量を軽くなるように構成することは技術常識であるから、上記（いう−１）で検討したように、引用発明の体内脂肪量計付体重計として、上記引用刊行物Ｂに記載された発明の構成を採用して、小型の体内脂肪量計付携帯用体重計とした際、その、小型の体内脂肪量計付携帯用体重計の重量をどの程度軽くするかは当業者が適宜選択しうる設計的事項にすぎないものであり、さらに、本件出願の明細書をみても、体重計を含む本体の重量が少なくとも１．５ｋｇ以下にした点に、格別の効果を見いだすことができないことから、本願発明のごとく、被検者がその上に足で載ることによって体重を測定できる体重測定面が表面に設けられた体重計を含み、所定の重量で形成されている本体が「少なくともその重量が１．５ｋｇ以下に形成されている本体」であるように重量の軽さを限定した点に格別の困難性を認めることができないものである。（相違点（う））
　　
・相違点（え）について
（え−１）上記引用刊行物Ｂには、体内脂肪計付カード型電卓において、体脂肪カード本体の上部右側及び上部左側のそれぞれの表面及び裏面に電極対を設け、それぞれの電極を右の手及び左の手の親指及び人差し指で持つことにより、被測定者のインピーダンスを測定する体脂肪計が記載（特に、摘記事項（３Ｂ−３）の段落【００１８】及び【００２０】参照）されている。そして、摘記事項（３Ｂ−４）の段落【００３２】には、「また、図１〜３の実施例では電卓に体内脂肪計としての機能を付与した場合について説明したが、本発明の体内脂肪計は、他の例えば・・・携帯用体重計等、各種の携帯品に取り付けることができ」ることが記載されており、この体内脂肪を取り付けた携帯用体重計は体内脂肪計付カード型電卓と同様に携帯品であることから、体内脂肪を取り付けた携帯用体重計おいても、本体の上部右側及び上部左側それぞれの表面及び裏面に電極対を設け、それぞれの電極を右の手及び左の手の親指及び人差し指で持つことにより、被測定者のインピーダンスを測定して体脂肪計を求めているものと推認できる。そうすると、引用発明の体内脂肪量計付体重計と上記引用刊行物Ｂに記載された発明の体内脂肪計が取り付けられた携帯用体重計とは、ともに、体内脂肪計が取り付けられた体重計を持ち上げて手に電極を接触させて被測定者のインピーダンスを測定する点で共通することから、引用発明の体内脂肪量計付体重計において、一対の手用インピーダンス測定電極（５）を、両手で握ってはかりを持ち上げることができる載台（１）の側面に握り手（２）に設置する構成の代わりに、上記引用刊行物Ｂに記載された発明の電極を設置する構成を採用して、本体の上部右側及び上部左側のそれぞれの表面及び裏面に設け、それぞれの電極を右の手及び左の手の親指及び人差し指で持つことにより、被測定者のインピーダンスを測定する構成を得ること、すなわち、本願発明のごとく、「前記本体の先端に、両手の各手における少なくとも親指を含む二本の指により表面と裏面とを押圧するようにして摘み得るように形成された電極支持部が設けられており、」「かつ、該電極支持部の表面及び裏面の左右の端に前記電極群が配設され、前記両手の各手における二本の指により、前記電極支持部の電極群が配設される部分を摘むことによって、該指を前記電極群に接触させることができると共に、本体を支持することもできる」ように構成することは当業者が容易になし得るものである。
（え−２−１）ところで、上記（４−１）の（v）で検討したように、引用発明の体脂肪計及び体重計を構成する部材が組み込まれて構成された体内脂肪量計付体重計が本体であり、さらに、上記引用刊行物Ａの摘記事項（３Ａ−４）には、「体内脂肪量計付体重計の載台（１）の両側面にそれぞれ取り付けた握り手（２）に一対の手用インピーダンス測定電極（５）を設置すること、データ入力装置、及び表示器を設置するとともに、載台（１）の側面の下部にさらに測定器３の底部を設ける」ことが記載されていることから、引用発明は、載台（１）と底部で体内脂肪量計付体重計の本体を構成し、さらに、載台（１）の両側面にそれぞれ取り付けた握り手（２）に一対の手用インピーダンス測定電極（５）を設置されていることから、引用発明では一対の手用インピーダンス測定電極（５）が、体内脂肪量計付体重計の本体の厚みより薄く形成された握り手（２）に支持されていることは明らかである。
（え−２−２）さらに、被測定者のインピーダンスを測定する際に、測定装置の本体の表面上に測定電極を設けて測定電極を支持する厚みを測定装置の本体の厚みよりも薄くしないことも、測定装置の本体の一部を削除して測定電極を支持する厚みを測定装置の本体の厚みよりも薄くすることもともに周知（前者について、例えば上記引用刊行物Ｂの摘記事項（３Ｂ−３）の段落【００１８】の記載、特開平５−３３７０９６号公報の図２の記載、後者について、例えば、実願昭６３−１２９７５号（実開平１−１１９６１４号）のマイクロフィルムの明細書２頁１１〜１５行，９頁末行〜１０頁６行，第６図，第７図の記載、特開平５−３３７０９６号公報の図４の記載をそれぞれ参照）であり、そのどちらを選択するかは当業者が適宜採用し得る選択事項にすぎないものである。
　そして、上記「相違点（い）及び相違点（う）について」の（いう−１）で検討したように、引用発明の体内脂肪量計付体重計の構成として、上記引用刊行物Ｂに記載された発明の構成を採用して、小型の体内脂肪量計付携帯用体重計とした場合、この体内脂肪量計付体重計は小型で、携帯に便利であることを目的とするものであり、さらに、上記（え−２−１）で検討したように、引用発明の一対の手用インピーダンス測定電極（５）は、体内脂肪量計付体重計の本体の厚みより薄く形成された握り手（２）に支持されていることから、上記（え−１）で検討したように、引用発明の体内脂肪量計付体重計において、一対の手用インピーダンス測定電極（５）の配置として、上記引用刊行物Ｂに記載された発明の電極構成を採用した際には、上記周知の測定電極支持の構成のうち、より小型で携帯に便利となるように測定電極を支持する構成、すなわち、測定電極を支持する厚みを測定装置の本体の厚みよりも薄く形成する周知の構成を採用することは当業者であれば当然の選択的事項にすぎないものである。
　　
・相違点（お）について
　体重計を小型体重計とすること上記（いう−１）で検討したとおりである。
　そして、体重計付体脂肪計は、例えば特開平７−１２６３５号公報の４頁６欄４６行に記載されているように、周知であり、さらに、体重計と体脂肪計を備えた測定器として、体重計と体脂肪計のどちらの測定器を付属の測定器とするかは当業者が適宜なし得る選択事項にすぎないことから、引用発明の「体内脂肪量計付体重計」を、本願発明のごとく、「小型体重計付き体脂肪計」とすることは当業者が容易になし得るものである。
　　　　　　　　　　　　　　　
　そして、本願発明によってもたらされる効果は、引用発明、上記引用刊行物Ｂに記載された発明及び周知の技術事項から予測される範囲内のものであって、格別のものではない。
　したがって、本願発明は、引用発明、上記引用刊行物Ｂに記載された発明及び周知の技術事項に基づいて当業者が容易に発明をすることができたものである。
  　　　　　　　　　　　　 
 第５　むすび  
　以上のとおり、本願発明は、特許法第２９条第２項の規定により特許を受けることができないものであるから、その余の請求項に係る発明について検討するまでもなく、本件出願は、拒絶をすべきものである。
　よって、結論のとおり審決する。